(57)【要約】【課題】仕様が異なる交換レンズの使用を可能にする、レンズアダプタおよび投射型画像表示装置を提供する。【解決手段】プロジェクタ本体１０に適合しない、交換レンズ３０の取付けフレーム３５が取付けられる取付け筒４２と、プロジェクタ本体に適合し、取付け筒に取付けられた交換レンズをプロジェクタ本体に取付けるための取付けフレーム４３と、交換レンズをプロジェクタ本体に取付けた状態でプロジェクタ本体に接続され、交換レンズの動作仕様を示す識別情報をプロジェクタ本体に伝達するコネクタ４１と、交換レンズをプロジェクタ本体に取付けた状態でプロジェクタ本体に接続され、交換レンズの駆動電源をプロジェクタ本体から受給するコネクタ４１とを備える。【選択図】図２
2011158658.tif 000002
【特許請求の範囲】
【請求項１】
投射型画像表示装置に適合しない、交換レンズの取付け部が取付けられるレンズ被取付け部と、
前記投射型画像表示装置に適合し、前記レンズ被取付け部に取付けられた前記交換レンズを前記投射型画像表示装置に取付けるためのレンズ取付け部と、
前記交換レンズを前記投射型画像表示装置に取付けた状態で前記投射型画像表示装置に接続され、前記交換レンズの動作仕様を示す識別情報を前記投射型画像表示装置に伝達する識別情報伝達部と、
前記交換レンズを前記投射型画像表示装置に取付けた状態で前記投射型画像表示装置に接続され、前記交換レンズの駆動電源を前記投射型画像表示装置から受給する電源受給部と
を備えるレンズアダプタ。
【請求項２】
前記交換レンズの動作仕様は、前記交換レンズの光学仕様および電気仕様からなることを特徴とする、請求項１に記載のレンズアダプタ。
【請求項３】
交換レンズと、
上記請求項１または２に記載のレンズアダプタと、
前記レンズアダプタのレンズ取付け部を介して前記交換レンズが取付けられる被取付け部と、
前記レンズアダプタの識別情報伝達部を介して、前記交換レンズの動作仕様を含む識別情報を前記交換レンズから伝達される識別情報被伝達部と、
前記レンズアダプタの電源受給部を介して、前記交換レンズの駆動電源を供給する電源供給部と
を備える投射型画像表示装置。
【発明の詳細な説明】
【技術分野】
【０００１】
本発明は、レンズアダプタおよび投射型画像表示装置に関する。
【背景技術】
【０００２】
使用環境に応じて投射レンズを交換して使用可能なレンズ交換式プロジェクタ（投射型画像表示装置）が知られている。
【０００３】
この種のプロジェクタでは、パネル寸法、解像度、製品寸法、製品価格等に応じて最適な仕様が異なるので、交換レンズの取付け仕様および動作仕様（光学仕様、電気仕様等）が機種毎に異なる。例えば、取付け仕様は、交換レンズとの取付け手段に応じて決定され、光学仕様は、台形補正時の光学収差特性、イメージサークルサイズ等に応じて決定され、電気仕様は、電動ズーム・フォーカスの駆動電圧等に応じて決定される。ここで、ユーザは、仕様が異なる交換レンズを自らのプロジェクタに取付けて使用したいと欲する場合がある。
【先行技術文献】
【特許文献】
【０００４】
【特許文献１】特開２００４−３０２３５０号公報
【発明の概要】
【発明が解決しようとする課題】
【０００５】
このため、取付け仕様が異なる交換レンズにレンズアダプタを装着して取付け仕様を共通化することで、取付け仕様が異なる交換レンズの使用を可能にする方法が提案されている。しかし、上記方法では、取付け仕様が異なる交換レンズを使用できるが、動作仕様が異なる交換レンズを使用することができない。
【０００６】
また、交換レンズの動作仕様を示す識別情報を交換レンズに保持させ、この識別情報を交換レンズからプロジェクタ本体に伝達し、交換レンズの動作仕様に基づきプロジェクタ本体の動作を制御することで、動作仕様が異なる交換レンズの使用を可能にする方法が提案されている（上記特許文献１）。しかし、上記方法では、共通の取付け仕様を有するとともに、識別情報を保持している交換レンズを予め準備しなければならず、そもそも識別情報を保持していない交換レンズを使用することができない。
【０００７】
そこで、本発明は、仕様が異なる交換レンズの使用を可能にする、レンズアダプタおよび投射型画像表示装置を提供しようとするものである。
【課題を解決するための手段】
【０００８】
本発明のある観点によれば、投射型画像表示装置に適合しない、交換レンズの取付け部が取付けられるレンズ被取付け部と、投射型画像表示装置に適合し、レンズ被取付け部に取付けられた交換レンズを投射型画像表示装置に取付けるためのレンズ取付け部と、交換レンズを投射型画像表示装置に取付けた状態で投射型画像表示装置に接続され、交換レンズの動作仕様を示す識別情報を投射型画像表示装置に伝達する識別情報伝達部と、交換レンズを投射型画像表示装置に取付けた状態で投射型画像表示装置に接続され、交換レンズの駆動電源を投射型画像表示装置から受給する電源受給部とを備えるレンズアダプタが提供される。
【０００９】
かかる構成によれば、取付け仕様が異なる交換レンズが投射型画像表示装置に取付け可能になるとともに、交換レンズの動作仕様を示す識別情報が投射型画像表示装置に伝達され、交換レンズの駆動電源が投射型画像表示装置から供給される。これにより、取付け仕様および動作仕様が異なる交換レンズの使用が可能となる。特に、交換レンズの識別情報がレンズアダプタに付加されるので、そもそも識別情報を保持していない交換レンズの使用も可能となる。
【００１０】
上記交換レンズの動作仕様は、交換レンズの光学仕様および電気仕様からなることができる。
【００１１】
また、本発明の別の観点によれば、交換レンズと、上記レンズアダプタと、レンズアダプタのレンズ取付け部を介して交換レンズが取付けられる被取付け部と、レンズアダプタの識別情報伝達部を介して、交換レンズの動作仕様を含む識別情報を交換レンズから伝達される識別情報被伝達部と、レンズアダプタの電源受給部を介して、交換レンズの駆動電源を供給する電源供給部とを備える投射型画像表示装置が提供される。
【発明の効果】
【００１２】
以上説明したように本発明によれば、仕様が異なる交換レンズの使用を可能にする、レンズアダプタおよび投射型画像表示装置を提供することができる。
【図面の簡単な説明】
【００１３】
【図１】本発明の実施形態に係るプロジェクタの構成を示す図である。
【図２】プロジェクタ本体に対する交換レンズの取付け方法を示す模式図である。
【図３】交換レンズおよびコネクタの仕様を示す図である。
【図４】Ａ型交換レンズを示す斜視図である。
【図５】シフトユニットを示す斜視図である。
【図６】Ａ型交換レンズを取付けた状態のシフトユニットを示す斜視図である。
【図７】Ｂ型アダプタを示す斜視図である。
【図８】Ｂ型交換レンズに対するＢ型アダプタの取付け状態を示す斜視図である。
【図９】Ｂ型交換レンズを取付けた状態のＢ型アダプタを示す斜視図である。
【図１０】Ｃ型交換レンズを取付けた状態のＣ型アダプタを示す斜視図である。
【図１１】Ｃ型アダプタを介してＣ型交換レンズを取付けた状態のシフトユニットを示す斜視図である。
【発明を実施するための形態】
【００１４】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００１５】
［１．プロジェクタの構成］
まず、図１を参照しながら、本発明の実施形態に係るプロジェクタ１（投射型画像表示装置）の構成について説明する。
【００１６】
図１に示すように、プロジェクタ１は、光源１１（ランプ１１１、リフレクタ１１２）、照明光学系１２、３枚の液晶パネル１３Ｒ、１３Ｇ、１３Ｂ、色合成プリズム１４、およびシフトユニット１５からなるプロジェクタ本体１０を有する。また、プロジェクタ１は、プロジェクタ本体１０に直接またはレンズアダプタ４０（以下、アダプタ４０とも称する。）を介して取付けられる交換レンズ３０を有する。
【００１７】
なお、交換レンズ３０、アダプタ４０は、各々に後述する各種の交換レンズ３０Ａ、３０Ｂ、３０Ｃ、アダプタ４０Ｂ、４０Ｃの総称である。
【００１８】
プロジェクタ１では、光源１１から発する白色光が照明集光されて３枚の液晶パネル１３Ｒ、１３Ｇ、１３Ｂに入射する。白色光は、照明光学レンズ１２１により集光された後、照明光学系１２内の色分解素子により赤、緑、青の３色光に分解され、分解された３色光は、対応する液晶パネル１３Ｒ、１３Ｇ、１３Ｂに入射する。
【００１９】
色分解素子は、第１および第２のダイクロイックミラー１２２、１２３と、第１〜第３の折返しミラー１２４〜１２６を有する。第１のダイクロイックミラー１２２では、赤色光が透過し、緑色光および青色光が反射する。第２のダイクロイックミラー１２３では、第１のダイクロイックミラー１２２で反射した青色光が透過し、緑色光が反射して液晶パネル１３Ｇに入射する。第１の折返しミラー１２４では、第１のダイクロイックミラー１２２を透過した赤色光が反射して液晶パネル１３Ｒに入射する。第２および第３の折返しミラー１２５、１２６では、第２のダイクロイックミラー１２３を透過した青色光が反射して液晶パネル１３Ｂに入射する。
【００２０】
３枚の液晶パネル１３Ｒ、１３Ｇ、１３Ｂは、電気信号として印加された映像信号に基づき入射光を空間変調する。液晶パネル１３Ｒ、１３Ｇ、１３Ｂからの出射光は、色合成プリズム１４により合成されて交換レンズ３０に入射する。そして、交換レンズ３０により液晶パネル１３Ｒ、１３Ｇ、１３Ｂの像が合成されて投射出力され、スクリーン等に投射される。
【００２１】
交換レンズ３０は、色合成プリズム１４の出射側に配置されたシフトユニット１５を介して、プロジェクタ本体１０に取付けられる。シフトユニット１５は、交換レンズ３０を光軸に直交する方向にシフトさせるための機構を有する。交換レンズ３０またはアダプタ４０にはコネクタ３１、４１（識別情報伝達部、電源受給部）が設けられ、シフトユニット１５にはコネクタ３１、４１に対応するソケット１５１が設けられている。コネクタ３１、４１は、交換レンズ３０の動作仕様を示す識別情報をプロジェクタ本体１０に伝達するために用いられる。また、コネクタ３１、４１は、電動ズーム・フォーカス機能を有する交換レンズ３０の駆動モータ３２に駆動電源を供給するために用いられる場合もある。
【００２２】
さらに、プロジェクタ１は、識別情報検出部１６、電源供給部１７、操作部１８、表示部１９、および制御部２０を有する。識別情報検出部１６は、コネクタ３１、４１を通じて交換レンズ３０の識別情報を検出する。電源供給部１７は、電動ズーム・フォーカス機能を有する交換レンズ３０の駆動モータ３２に、コネクタ３１、４１を通じて駆動電源を供給する。操作部１８は、ボタン等の操作子からなり、ユーザからの操作入力を受け付ける。表示部１９は、表示パネルやスクリーン上に操作メニュー等を表示する。制御部２０は、例えば、ＣＰＵ、ＲＯＭ、ＲＡＭ等からなり、プログラムの実行を通じてプロジェクタ１全体の動作を制御する。制御部２０は、交換レンズ３０の識別情報が示す動作仕様に従って、プロジェクタ１全体の動作を制御する。
【００２３】
［２．交換レンズ３０の取付け方法］
つぎに、図２および図３を参照しながら、プロジェクタ本体１０に対する交換レンズ３０の取付け方法について説明する。
【００２４】
図２には、交換レンズ３０の取付け方法が模式的に示されている。図２に示すように、交換レンズ３０は、型式に応じて取付け仕様を異にしている。交換レンズ３０は、取付け仕様に応じて、直接またはアダプタ４０を介して、色合成プリズム１４の出射側に配置されたシフトユニット１５を介してプロジェクタ本体１０に取付けられる。
【００２５】
例えば、Ａ型交換レンズ３０Ａは、シフトユニット１５に適合する取付け仕様を有しているので、シフトユニット１５に直接取付けられる。また、Ｂ型、Ｃ型の交換レンズ３０Ｂ、３０Ｃは、シフトユニット１５に適合する取付け仕様を有していないので、各々にＢ型、Ｃ型のアダプタ４０Ｂ、４０Ｃを介してシフトユニット１５に取付けられる。
【００２６】
図３には、交換レンズ３０およびコネクタ３１、４１の仕様が示されている。図３に示すように、交換レンズ３０は、型式に応じて動作仕様（光学仕様、電気仕様）を異にしている。なお、図中、「Ｌ−Ａ○」、「Ｌ−Ｂ○」、「Ｌ−Ｃ○」等は、交換レンズ３０の型番を示している。
【００２７】
例えば、Ａ型交換レンズ３０Ａは、駆動電圧１２Ｖの電動ズーム・フォーカス機能、または手動フォーカス機能を有している。Ｂ型交換レンズ３０Ｂは、駆動電圧５Ｖの電動ズーム・フォーカス機能と、手動ズーム・フォーカス機能または手動フォーカス機能を有している。また、Ｃ型交換レンズ３０Ｃは、手動ズーム・フォーカス機能、または手動フォーカス機能を有している。また、交換レンズ３０Ａ〜３０Ｃは、例えば台形補正時の光学収差特性等を異にしている。
【００２８】
交換レンズ３０は、交換レンズ３０の動作仕様を示す識別情報を、コネクタ３１、４１を通じてプロジェクタ本体１０に伝達する。ここで、Ａ型交換レンズ３０Ａは、交換レンズ３０Ａ自体に設けられたコネクタ３１を通じて識別情報を伝達する。Ｂ型、Ｃ型の交換レンズ３０Ｂ、３０Ｃは、交換レンズ３０Ｂ、３０Ｃに取付けられるＢ型、Ｃ型のアダプタ４０Ｂ、４０Ｃに設けられたコネクタ４１を通じて識別情報を伝達する。Ｂ型、Ｃ型のアダプタ４０Ｂ、４０Ｃには、Ｂ型、Ｃ型の交換レンズ３０Ｂ、３０Ｃの識別情報が保持されている。
【００２９】
Ａ型交換レンズ３０ＡまたはＢ型、Ｃ型のアダプタ４０Ｂ、４０Ｃのコネクタ３１、４１は、シフトユニット１５に設けられたソケット１５１に接続される。コネクタ３１、４１は、例えば１６ピンからなり、交換レンズ３０の取付け状態の検知、交換レンズ３０の型式の検知、駆動電源の供給、交換レンズ３０を制御するための信号伝送等に用いられる。ここで、交換レンズ３０の型式の検知では、例えば、ＺＦ−ＤＥＴ、Ｌ＿ＩＤ１〜Ｌ＿ＩＤ３の４つのピンを用いることで、電動ズーム・フォーカス機能の有無を含めて８種類の型式が判別される。
【００３０】
［３．取付け方法の具体例］
図４〜図１２には、シフトユニット１５に対する交換レンズ３０の取付け方法の具体例が示されている。図４および図５には、Ａ型交換レンズ３０Ａおよびシフトユニット１５が各々に示されている。また、図６には、Ａ型交換レンズ３０Ａを取付けた状態のシフトユニット１５が示されている。
【００３１】
（Ａ型交換レンズ３０Ａ）
図４に示すように、Ａ型交換レンズ３０は、レンズ鏡筒３３と、レンズ鏡筒３３をシフトユニット１５に取付けるための取付けフレーム３４からなる。
【００３２】
レンズ鏡筒３３には、１以上のレンズ（不図示）が収容され、レンズカバー３３１が先端に設けられ、マウント３３２が後端に設けられ、固定フレーム３２３を介して駆動モータ３２が周辺に固定されている。取付けフレーム３４には、取付けネジＢ２を挿通するためのネジ孔３４１が４つのコーナ（図中では３つが示されている。）に設けられている。
また、取付けフレーム３４には、レンズ鏡筒３３が固定され、基板３５３を保持する保持板３５が一端に設けられている。
【００３３】
保持板３５には、コネクタ３１を実装した基板３５３が設けられ、基板３５３には、Ａ型交換レンズ３０Ａに応じた回路パターンが形成されている。
【００３４】
（シフトユニット１５）
図５に示すように、シフトユニット１５は、プロジェクタ本体１０の前面に固定される固定フレーム１５２と、固定フレーム１５２に対してスライド自在に支持されたシフトフレーム１５３と、シフトフレーム１５３に固定されて交換レンズ３０を支持するための支持フレーム１５４（被取付け部）と、シフトフレーム１５３をシフトさせるシフト機構１５５からなる。
【００３５】
固定フレーム１５２には、交換レンズ３０を挿通するための開口１５２ａが中央に設けられ、固定ネジＢ２を挿通するためのネジ孔１５２ｂが４つのコーナ（図中には２つが示されている。）に設けられている。シフトフレーム１５３には、交換レンズ３０を挿通するための開口１５３ａが中央に設けられている。支持フレーム１５４には、交換レンズ３０を挿通するための円形開口１５４ａが中央に設けられ、取付けネジＢ１を挿通するためのネジ孔１５４ｂが４つのコーナに設けられ、交換レンズ３０またはアダプタ４０のコネクタ３１、４１が接続されるソケット１５１が一端に設けられている。シフト機構１５５には、モータ１５５ａ、ギヤ１５５ｂ、送りネジ１５５ｃ等からなる駆動機構が設けられている。
【００３６】
シフトユニット１５では、３つの開口１５２ａ、１５３ａ、１５４ａに挿通された交換レンズ３０が取り付けネジＢ１を介して支持フレーム１５４に取付けられる。そして、固定フレーム１５２に対してシフトフレーム１５３をシフトさせることで、交換レンズ３０が光軸に直交して垂直方向（図面に対して上下方向）にシフトされ、支持フレーム１５４をシフトさせることで水平方向（図面に対して左右方向）にシフトされる。シフト機構では、例えば、制御部２０から供給される制御信号に応じて駆動機構を制御することで、シフトフレーム１５３がシフトされる。
【００３７】
ここで、Ａ型交換レンズ３０Ａは、前述したように、シフトユニット１５に適合する取付け仕様を有しているので、アダプタ４０を介さずにシフトユニット１５に直接取付けられる。シフトユニット１５への取付けに際しては、シフトユニット１５の３つの開口１５２ａ、１５３ａ、１５４ａにレンズ鏡筒３３が挿通される。そして、Ａ型交換レンズ３０Ａの取付けフレーム３４および支持フレーム１５４のネジ孔３４１、１５４ｂに取付けネジＢ２が挿通される。また、Ａ型交換レンズ３０Ａのコネクタ３１がシフトユニット１５のソケット１５１に接続される。
【００３８】
Ａ型交換レンズ３０Ａのコネクタ３１がソケット１５１に接続されると、Ａ型交換レンズ３０Ａの識別情報が識別情報検出部１６により検出され、制御部２０は、交換レンズ３０Ａの装着および型式を認識する。そして、制御部２０は、識別情報が示す光学仕様に従ってプロジェクタ１全体を制御する。また、制御部２０は、識別情報からＡ型交換レンズ３０Ａが電動ズーム・フォーカス機能を有するかを判定し、該当する場合、電動ズーム・フォーカスを行うためのメニュー等を表示部１９に表示する。そして、電動ズーム・フォーカスの実行が指示されると、識別情報が示す電気仕様に従って１２Ｖ駆動電圧で駆動モータ３２を駆動制御する。なお、駆動電圧は、コネクタ３１を通じて電源供給部１７から供給され、モータハーネス（不図示）を通じて駆動モータ３２に伝達される。
【００３９】
（Ｂ型アダプタ４０Ｂ）
図７には、Ｂ型アダプタ４０Ｂが示されている。図７に示すように、Ｂ型アダプタ４０Ｂは、Ｂ型交換レンズ３０Ｂが取付けられる取付け筒４２（レンズ被取付け部）と、シフトユニット１５に取付けられる取付けフレーム４３（レンズ取付け部）と、基板４１を保持する保持板４３からなる。取付け筒４２および取付けフレーム４３は、Ｂ型交換レンズ３０Ｂの取付けに適した形状に形成されている。
【００４０】
取付け筒４２は、半円アーチ筒状の下部材４２１からなり、下部材４２１上にレンズ鏡筒３３が配置され、取付けネジＢ１を挿通するためのネジ孔４２２がアーチの基端に設けられている。取付けフレーム４３は、方形平板状の部材であり、レンズ鏡筒３３を挿通するための開口４３１が中央に設けられ、取付けネジＢ２を挿通するためのネジ孔４３２が４つのコーナ（図中では３つが示されている。）に設けられている。取付け筒４２は、取付けフレーム４３の開口４３１の下部周縁に沿って逆アーチをなすように取付けフレーム４３に突設されている。
【００４１】
保持板４４は、取付けフレーム４３の前面の一端から突設した支持板４４１に支持される。保持板４４には、コネクタ４１およびモータハーネス用のソケット４４２を実装した基板４４３が設けられ、基板４４３には、Ｂ型交換レンズ３０Ｂに応じた回路パターンが形成されている。
【００４２】
図８および図９には、Ｂ型交換レンズ３０Ｂに対するＢ型アダプタ４０Ｂの取付け状態およびＢ型交換レンズ３０Ｂを取付けた状態のＢ型アダプタ４０Ｂが各々に示されている。また、
【００４３】
（Ｂ型交換レンズ３０Ｂ）
図８および図９に示すように、Ｂ型交換レンズ３０Ｂは、レンズ鏡筒３３と、レンズ鏡筒３３を他のプロジェクタに取付けるための取付けフレーム３５（取付け部）からなる。レンズ鏡筒３３には、１以上のレンズ（不図示）が収容され、レンズカバー３３１が先端に設けられ、マウント３３２が後端に設けられ、固定フレーム３３３を介して駆動モータ３２が周辺に固定されている。取付けフレーム３５には、取付けネジＢ１を挿通するためのネジ孔３５１が設けられている。
【００４４】
ここで、Ｂ型交換レンズ３０Ｂは、シフトユニット１５とは異なる取付け仕様を有しているので、Ｂ型アダプタ４０Ｂを介してシフトユニット１５に取付けられる。Ｂ型交換レンズ３０Ｂは、取付けフレーム４３の開口４３１にレンズ鏡筒３３を挿通した状態で、Ｂ型交換レンズ３０Ｂの取付けフレーム３５および取付け筒４２のネジ孔３５１、４２２に取付けネジＢ１を挿通することで、Ｂ型アダプタ４０Ｂに取付けられる。
【００４５】
Ｂ型交換レンズ３０Ｂは、Ｂ型アダプタ４０Ｂに取付けられた状態でシフトユニット１５に取付けられる。シフトユニット１５への取付けに際しては、シフトユニット１５の３つの開口１５２ａ、１５３ａ、１５４ａにレンズ鏡筒３３が挿通される。そして、Ｂ型アダプタ４０Ｂの取付けフレーム４３および支持フレーム１５４のネジ孔４３２、１５４ｂに取付けネジＢ２が挿通される。
【００４６】
また、Ｂ型アダプタ４０Ｂのコネクタ４１がシフトユニット１５のソケット１５１に接続される。さらに、Ｂ型アダプタ４０Ｂのソケット１５１と、Ｂ型交換レンズ３０Ｂの駆動モータ３２に設けられたソケット（不図示）がモータハーネス用のコネクタにより接続される。これにより、Ｂ型アダプタ４０Ｂを介して、取付け仕様および動作仕様の異なるＢ型交換レンズ３０Ｂをシフトユニット１５に取付けることができる。
【００４７】
Ｂ型アダプタ４０Ｂのコネクタ４１がソケット１５１に接続されると、Ｂ型交換レンズ３０Ｂの識別情報が識別情報検出部１６により検出され、制御部２０は、交換レンズ３０Ｂの装着および型式を認識する。そして、制御部２０は、識別情報が示す光学仕様に従ってプロジェクタ１全体を制御する。また、制御部２０は、Ｂ型交換レンズ３０Ｂが電動ズーム・フォーカス機能を有しているので、電動ズーム・フォーカスを行うためのメニュー等を表示部１９に表示する。そして、電動ズーム・フォーカスの実行が指示されると、識別情報が示す電気仕様に従って５Ｖ駆動電圧で駆動モータ３２を駆動制御する。なお、駆動電圧は、コネクタ４１を通じて電源供給部１７から供給され、モータハーネス用のコネクタを通じて駆動モータ３２に供給される。
【００４８】
（Ｃ型アダプタ４０ＣおよびＣ型交換レンズ３０Ｃ）
図１０には、Ｃ型交換レンズ３０Ｃを取付けた状態のＣ型アダプタ４０Ｃが示されている。また、図１１には、Ｃ型アダプタ４０Ｃを介してＣ型交換レンズ３０Ｃを取付けた状態のシフトユニット１５が示されている。
【００４９】
図１０に示すように、Ｃ型アダプタ４０Ｃは、Ｃ型交換レンズ３０Ｃが取付けられる取付け筒４２（レンズ被取付け部）と、シフトユニット１５に取付けられる取付けフレーム４３（レンズ取付け部）と、基板４４３を保持する保持板４４からなる。取付け筒４２および取付けフレーム４３は、Ｃ型交換レンズ３０Ｃの取付けに適した形状に形成されている。
【００５０】
取付け筒４２は、半円アーチ筒状の下部材４２１および半円アーチ帯状の上部材４２２からなり、下部材４２１と上部材４２２の間にレンズ鏡筒３３が配置され、取付けネジＢ１を挿通するためのネジ孔４２２が下部材４２１のアーチの基端に設けられている。取付けフレーム４３は、方形平板状の部材であり、レンズ鏡筒３３を挿通するための円形開口４３１が中央に設けられ、取付けネジＢ２を挿通するためのネジ孔４３２が４つのコーナ（図中では３つが示されている。）に設けられている。取付け筒４２は、取付けフレーム４３の円形開口４３１の全周縁に沿って上部アーチおよび下部アーチをなすように取付けフレーム４３に突設される。
【００５１】
保持板４４は、取付けフレーム４３の前面の一端から突設した支持板４４１に支持される。保持板４４には、コネクタ４１およびモータハーネス用のソケット４４２を実装した基板４４３が設けられ、基板４４３には、Ｃ型交換レンズ３０Ｃに応じた回路パターンが形成されている。
【００５２】
Ｃ型交換レンズ３０Ｃは、レンズ鏡筒３３と、レンズ鏡筒３３を他のプロジェクタに取付けるための取付けフレーム３５（取付け部）からなる。レンズ鏡筒３３には、１以上のレンズ（不図示）が収容され、レンズカバー３３１が先端に設けられ、マウント３３２が後端に設けられている。取付けフレーム４３には、取付けネジＢ２を挿通するためのネジ孔４３２が設けられている。
【００５３】
ここで、Ｃ型交換レンズ３０Ｃは、シフトユニット１５とは異なる取付け仕様を有しているので、Ｃ型アダプタ４０Ｃを介してシフトユニット１５に取付けられる。Ｃ型交換レンズ３０Ｃは、取付けフレーム４３の開口４３１にレンズ鏡筒３３を挿通した状態で、Ｃ型交換レンズ３０Ｃの取付けフレーム３５および取付け筒４２１のネジ孔３５１、４２２に取付けネジＢ１を挿通することで、Ｃ型アダプタ４０Ｃに取付けられる。
【００５４】
図１１に示すように、Ｃ型交換レンズ３０Ｃは、Ｃ型アダプタ４０Ｃに取付けられた状態でシフトユニット１５に取付けられる。シフトユニット１５への取付けに際しては、シフトユニット１５の３つの開口１５２ａ、１５３ａ、１５４ａにレンズ鏡筒３３が挿通される。そして、Ｃ型アダプタ４０Ｃの取付けフレーム４３およびシフトユニット１５の支持フレーム１５４のネジ孔４３２、１５４ｂに取付けネジＢ２が挿通される。
【００５５】
また、Ｃ型アダプタ４０Ｃのコネクタ４１がシフトユニット１５のソケット１５１に接続される。さらに、Ｃ型アダプタ４０Ｃのソケット１５１と、Ｃ型交換レンズ３０Ｃの駆動モータ３２に設けられたソケット（不図示）がモータハーネス用のコネクタにより接続される。これにより、Ｃ型アダプタ４０Ｃを介して、取付け仕様および動作仕様の異なるＣ型交換レンズ３０Ｃをシフトユニット１５に取付けることができる。
【００５６】
Ｃ型アダプタ４０Ｃのコネクタ４１がソケット１５１に接続されると、Ｃ型交換レンズ３０Ｃの識別情報が識別情報検出部１６により検出され、制御部２０は、交換レンズ３０Ｃの装着および型式を認識する。そして、制御部２０は、識別情報が示す光学仕様に従ってプロジェクタ１全体を制御する。また、制御部２０は、Ｃ型交換レンズ３０Ｃが電動ズーム・フォーカス機能を有していないので、電動ズーム・フォーカスを行うためのメニュー等を表示部１９に表示しない。そして、制御部２０は、駆動モータ３２の駆動制御を行わない。
【００５７】
さらに、Ｃ型交換レンズ３０Ｃでは、Ａ型およびＢ型交換レンズ３０Ａ、３０Ｂに比してイメージサークルサイズが小さいので、シフトユニット１５が最大シフト量で動作すると、投射画像のコーナ部が陰ってしまう。このため、制御部２０は、Ｃ型交換レンズ３０Ｃを認識すると、Ａ型およびＢ型交換レンズ３０Ａ、３０Ｂに比してシフトユニット１５のシフト量を抑制するように、プロジェクタ１全体を制御する。
【００５８】
［４．まとめ］
以上説明したように、本発明の実施形態に係るプロジェクタ１によれば、取付け仕様が異なる交換レンズ３０がプロジェクタ本体１０に取付け可能になるとともに、交換レンズ３０の動作仕様を示す識別情報がプロジェクタ本体１０に伝達され、交換レンズ３０の駆動電源がプロジェクタ本体１０から供給される。これにより、取付け仕様および動作仕様が異なる交換レンズ３０の使用が可能となる。特に、交換レンズ３０の識別情報がレンズアダプタ４０に付加されるので、そもそも識別情報を保持していない交換レンズ３０の使用も可能となる。
【００５９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００６０】
１    プロジェクタ
１０    プロジェクタ本体
１１    光源
１２    照明光学系
１３Ｒ、１３Ｇ、１３Ｂ    液晶パネル
１４    色合成プリズム
１５    シフトユニット
１６    識別情報検出部
１７    電源供給部
１８    操作部
１９    表示部
２０    制御部
３０、３０Ａ、３０Ｂ、３０Ｃ    交換レンズ
３１、４１    コネクタ
３２    駆動モータ
４０、４０Ｂ、４０Ｃ    レンズアダプタ
【図１】
2011158658.tif 000003
【図２】
2011158658.tif 000004
【図３】
2011158658.tif 000005
【図４】
2011158658.tif 000006
【図５】
2011158658.tif 000007
【図６】
2011158658.tif 000008
【図７】
2011158658.tif 000009
【図８】
2011158658.tif 000010
【図９】
2011158658.tif 000011
【図１０】
2011158658.tif 000012
【図１１】
2011158658.tif 000013